(57)【要約】本発明は、その長手方向延在部の方向に係止ボルトハウジング（２）内に可動に支承され、かつ係止バネ（４）によって切替えリンクに対して軸方向の予緊張の下に保持される係止ボルト（１）を有する切替え装置に関する。公知の従来技術から出発して本発明の基本にある課題は、引っ掛かりのない、また少なくとも十分に遊びのない係止ボルトハウジング内での係止ボルトの案内が簡単に実現すべき手段を使用して保証されているように、このような切替えスイッチを発展構成することである。この課題は、本発明によれば、係止ボルトが、その周囲にわたって配分されて配設され、外側に突出し、そして係止ボルトハウジングの内側に半径方向の予緊張の下で当接する複数の案内手段（７）を備えることによって解決される。
2005505108.tif 000002
【特許請求の範囲】
【請求項１】
その長手方向延在部の方向に係止ボルトハウジング（２）内に可動に支承され、かつ係止バネ（４）によって切替えリンクに対して軸方向の予緊張の下に保持される係止ボルト（１）を有する切替え装置において、
係止ボルト（１）が、その周囲にわたって配分されて配設され、外側に突出し、そして係止ボルトハウジング（２）の内側に半径方向の予緊張の下で当接する複数の案内手段（７）を備えることを特徴とする切替え装置。
【請求項２】
案内手段（７）が、係止ボルト（１）の長手方向延在部内で整向される曲げに対して柔軟な案内リブ（Ｆ）によって構成されており、これらの案内リブによって、係止ボルト（１）が、その前方の先端近くの領域内を、係止ボルトハウジング（２）内に案内されていることを特徴とする請求項１に記載の切替え装置。
【請求項３】
複数の案内リブ対が設けられており、これらの案内リブ対が、それぞれ互いに同じ角度間隔で配設されていることを特徴とする請求項２に記載の切替え装置。
【請求項４】
案内リブ（Ｆ）を収容する係止ボルト（１）のジャケット面の外径が、若干の過大寸法をもって係止ボルトハウジング（２）の内法の内部幅よりも大きいことを特徴とする請求項４に記載の切替え装置。
【請求項５】
係止ボルト（１）が、案内リブ（Ｆ）によって係止ボルトハウジング（２）内に捩れないように案内されていることを特徴とする請求項２〜４のいずれか１つに記載の切替え装置。
【請求項６】
係止ボルトハウジング（２）が案内突出部（９）を備え、この案内突出部に、それぞれ案内リブ対の２つの案内リブ（Ｆ）が当接することを特徴とする請求項３〜５のいずれか１つに記載の切替え装置。
【請求項７】
案内手段（７）が、レバー状に形成された可動の押圧アーム（７）によって構成されており、これらの押圧アームに、それぞれ１つの転向要素（７’）が存在し、この転向要素が、それぞれの押圧アーム（７）が半径方向に係止ボルトハウジング（２）の内側に押し付けられているように、係止バネ（４）と協働することを特徴とする請求項１に記載の切替え装置。
【請求項８】
押圧アーム（７）が、係止ボルト（１）の先端近くの領域内に配設されており、係止ボルト（１）の長手方向延在部に対して平行に延在することを特徴とする請求項７に記載の切替え装置。
【請求項９】
転向要素が、それぞれ、それぞれの押圧アーム（７）の先端近くの端部において転向斜面（７’）として形成されていること、そして押圧アーム（７）が、その先端から遠い端部において係止ボルト（４）と可動に結合されていることを特徴とする請求項８に記載の切替え装置。
【請求項１０】
転向斜面（７’）が、その係止ボルト（１）の中心軸に指向する端部において、それぞれの押圧アーム（７）の半径方向の偏位を制限するストッパフック（７”）を備えていることを特徴とする請求項９に記載の切替え装置。
【請求項１１】
転向斜面（７’）の設定角度が、約３０°であることを特徴とする請求項９又は１０に記載の切替え装置。
【請求項１２】
係止バネ（４）の先端近くの端部と転向斜面（７’）との間に、高剛性の中間体が、特に中間リングが設けられており、この中間体によって、係止バネ（４）の押圧力が、本質的に一様に押圧アーム（７）に配分されることを特徴とする請求項９〜１１のいずれか１つに記載の切替え装置。
【請求項１３】
案内手段（７）が、互いに同じ角度間隔で配設されていることを特徴とする請求項１〜１２のいずれか１つに記載の切替え装置。
【請求項１４】
係止ボルト（１）の軸（５）が、案内手段（７）と共に、合成物質から、実用的な方法で射出成形法の方法で製造されていることを特徴とする請求項１〜１３のいずれか１つに記載の切替え装置。
【請求項１５】
案内手段（７）によって、第１の案内部分が、係止ボルト（１）の先端近くの領域内に構成されていること、そして係止ボルト（１）の後端部の領域内に、第１の案内部分から間隔を置いた別の案内部分（８）が配設されていることを特徴とする請求項１〜１４のいずれか１つに記載の切替え装置。
【請求項１６】
後の案内部分（８）が、軸（５）を包囲するビード（１０）によって構成されていることを特徴とする請求項１５に記載の切替え装置。
【請求項１７】
ビード（１０）が、外側に丸み付けされていることを特徴とする請求項１６に記載の切替え装置。
【請求項１８】
軸（５）の後端部が、案内手段（８）として使用されるビード（１０）と共にスリット（１１）を備えていることを特徴とする請求項１６又は１７に記載の切替え装置。
【発明の詳細な説明】
【技術分野】
【０００１】
本発明は、その長手方向延在部の方向に係止ボルトハウジング内に可動に支承され、かつ係止バネによって切替えリンクに対して軸方向の予緊張の下に保持される係止ボルトを有する切替え装置に関する。
【背景技術】
【０００２】
係止ボルトハウジングと、この係止ボルトハウジング内にその長手方向延在部内に可動に支承されている係止ボルトとから成る装置は、電気の切替え装置において切替え点の役を果たすために使用される。係止ボルト自身は、このような切替え装置においては、切替えリンク内で支持され、かつこの切替えリンク内に案内されている。切替えリンク内での係止ボルトの支持は、バネ負荷の下で行われる。この目的のため、係止ボルトと係止ボルトハウジングとの間に、バネ要素が配設されている。係止ボルトは、通常、シリンダ形の軸から成り、この軸の自由端は、−切替えリンクへの係合のために先端を形成するように−円錐形に先細りにされている。係止ボルトの軸のシリンダ形の形態に応じて、係止ボルトハウジングは構想されており、一般にシリンダ形の案内通路を備える。切替えリンク内での係止ボルトの完璧な案内、及び切替えリンクの近くの一定の切替え点での切替え位置固定を保証できるようにするため、係止ボルトが、係止ボルトに切替え装置の操作をする際に作用する横断方向力を加える際に長軸方向に係止ボルトハウジングに向かって運動可能であり、運動可能に維持することが重要である。しかしながら、これは、できるだけ最適に調節される遊びによってのみ可能であり、この遊びと共に、係止ボルトは、係止ボルトハウジング内に支承されている。遊びが極僅かに設定されている場合、係止ボルトが係止ボルトハウジング内で引っ掛かるという危険がある。係止ボルトと係止ボルトハウジングとの間の遊びが非常に大きい場合は、確かに、係止ボルトハウジング内で係止ボルトが引っ掛かるという問題は少なくとも十分に回避されているが、しかしながらこのような配設を備えた切替え装置は、この理由から確実な切替えが時々もはや可能でないというような遊びを切替え装置を操作する際に備える。その他の点では、その切替えレバーが切替えの際に切替え装置の機能性を保証するために過大な遊びを備える切替え装置を使用しなければならないことは好ましくない。
【０００３】
これらの欠点を回避するため、係止ボルトハウジング内に係止ボルトを案内するために、シリンダ形の材料肥大部の領域内に、摩擦を最小化するための、従って引っ掛からないように予防するためのテフロン（Ｒ）リングを担持する係止ボルトが開発されている。係止ボルト自身は、合成物質の場合にはさもないと生じる湿度を条件とする膨張が生じることができないように金属から製造されている。しかしながら、このような係止ボルトは、その製造に費用がかかる。何故なら、互いに協働する部分はできるだけ小さい許容差のみを備えるべきであるからである。不利な場合には、係止ボルトが、非常にきつく係止ボルトハウジング内に案内されている。これから、相応に強靭に構想されたバネを使用することによって、反作用を受けてしまう。
【発明の開示】
【発明が解決しようとする課題】
【０００４】
従って、この検討した従来技術から出発して基本にある課題は、引っ掛かりのない、また少なくとも十分に遊びのない係止ボルトハウジング内での係止ボルトの案内が簡単に実現すべき手段を使用して保証されているように、冒頭で述べた切替えスイッチを発展構成することである。
【課題を解決するための手段】
【０００５】
この課題は、本発明によれば、係止ボルトが、その周囲にわたって配分されて配設され、外側に突出し、そして係止ボルトハウジングの内側に半径方向の予緊張の下で当接する複数の案内手段を備えることによって解決される。
【０００６】
本発明による切替え装置の第１の実施形の場合には、案内手段が、係止ボルトの長手方向延在部内で整向される曲げに対して柔軟な案内リブによって構成されており、これらの案内リブによって、係止ボルトが、その前方の先端近くの領域内を、係止ボルトハウジング内に案内されている。より効果的に、互いに同じ角度間隔で配設されている案内リブは、係止ボルトの長手方向延在部内に延在し、係止ボルトを案内するために係止ボルトハウジングの内側に当接する。案内リブは、非常に小さい係止ボルトハウジングの案内部の内側との接触領域だけを備える。より効果的に、案内リブは、隣接する係止ボルトハウジングに、接触線に沿ってのみ接触する。案内リブ自身は、曲げに柔軟な特性、又はある程度弾性的な特性を備え、これらの特性は、より効果的に、使用される材料の材料可曉性もしくは材料弾性から実現される。係止ボルトハウジング内での係止ボルトの遊びのない案内のために、案内の領域が係止ボルトハウジングから出現する係止ボルトの先端の近くであることが重要である。係止ボルトハウジングの内側に当接する曲げに対して柔軟な案内リブを設けることによって、少なくとも係止ボルトのこの案内部分は遊びなく案内されている。より効果的に一体的に設けられている係止ボルトを製造するために、案内リブは、その曲げに対して柔軟な特性に基づいて、係止ボルトハウジング内に存在する案内部の内法幅に関連させたある程度の過大寸法をもって設けることができる。係止ボルトが、合成物質から、ほぼ射出成形法の方法で製造されている場合のために、先ずある程度の予緊張の下で係止ボルトハウジング内に挿入される案内リブは、若干の時間の後弛緩することができ、従って、最初はできるだけ幾らかよりきつい座は、係止ボルトを若干操作した後に一様になっている。合成物質材料の使用は実用的であり、この合成物質材料は、この合成物質材料から構成される案内リブの曲げに対して柔軟な特性以外に、同様にある程度の材料弾性を有する特性を備える。従って、案内リブがいつでも僅かな予緊張の下にあって係止ボルトハウジングの案内部の内側に当接することが保証されている。
【０００７】
本発明による切替え装置の別の実施形の場合、案内手段が、レバー状に形成された可動の押圧アームによって構成されており、これらの押圧アームに、それぞれ１つの転向要素が存在し、この転向要素が、それぞれの押圧アームが半径方向に係止ボルトハウジングの内側に押し付けられているように、係止バネと協働する。これにより、係止ボルトは、一体化されたバネ負荷を受ける拡開機構を備えており、この拡開機構は、係止ボルトの先端近くの領域内に存在する弾性的な押圧アームが、いずれにしても強制的に存在する係止バネのバネ力によって半径方向に、付設された係止ボルト収容部の壁部に押し付けられるように形成されている。この実施形の特別な利点は、押圧アームによって加えられる押圧力が常に少なくともほぼ係止バネのバネ力に比例しており、従って、管理されかつ計算可能な方法で、押圧アームの構造設計及び／又は適当な係止バネの選択によって調節することができる点にある。
【０００８】
両方の形態変形例にあっては、本発明による案内手段を、軸の先端近くに配設された第１の案内部分内にだけ配設し、別の案内部分を軸の先端に向かい合って位置する係止ボルトの端部に設けるように構成されている。その際、係止ボルトは、係止ボルトハウジング内に、これら両方の案内部分を基にして案内されている。この場合、第２の案内部分は、特に、そこに存在する案内手段がビードを備え、このビードが、より効果的に、外側に丸み付けされているように形成されている。これは確実に実用的であるが、案内手段がある程度の弾性を備えるべきである場合のために、係止ボルトのこの端部は、スリットを入れて形成することができ、その際、スリットは、ビードを切断する。
【０００９】
後の案内部分における案内手段の形態に依存せずに、係止ボルトハウジング内での係止ボルトの引っ掛かりは、有効に、係止ボルトの先端の領域に配設された案内手段によってその弾性的な特性に基づいて回避されている。
【発明を実施するための最良の形態】
【００１０】
以下で、本発明を、添付図に関連した２つの実施例を基にして説明する。
【００１１】
係止ボルト１は、図１に見ることができるように、係止ボルトハウジング２内に長手方向に摺動可能に案内されている。この目的のため、係止ボルトハウジング２は、案内通路３を備え、この案内通路内に、係止ボルト１は、可動に支承されている。係止ボルト１は、係止バネ４を介して案内通路３の足部に支持される。係止ボルト１は、シリンダ形の軸５を有し、この軸の係止ボルトハウジング２から突出する自由端は、先端６を形成するために円錐形に先細りにされている。先端６によって、係止ボルト１は、図示されてないやり方で電気スイッチの切替えリンクに係合する。
【００１２】
係止ボルト１は、案内通路３内に、係止ボルト１に付設された案内手段７によって案内されている。案内手段７は、軸５の領域内を、先端６に境を接している部分内に配設されている。その先端から遠い端部に、係止ボルト１は、ビードによって構成される別の案内部分８を備えている。案内手段７は、軸５から外に向かって突出する案内リブＦによって構成されており、その際、それぞれ２つの案内リブＦは、案内リブ対を形成するために、その足部の領域内でＶ字形に互いに隣接している。係止ボルト１及び相応に案内リブＦも、合成物質から射出成形法の方法で製造されている。この場合、案内リブＦに、曲げに対して柔軟で、ある程度弾性的な特性を与えるような合成物質が使用されている。それぞれ２つの案内リブＦから構成される案内リブ対は、図２の図から認識可能であるように、案内通路３内に突出する係止ボルトハウジング２のそれぞれ１つの突出部９を包囲する。案内リブ対の両方の案内リブＦは、外側で、突出部９を形成する係止ボルトハウジング２の壁部分に当接する。Ｖ字型の配設の形態を有する案内リブ対の案内リブＦが形成され、この案内リブ対の開口角度は、突出部９を構成する係止ボルトハウジング２の壁部分に当接するために必要な角度間隔よりも極僅かに小さい。この理由から、案内リブ対の案内リブＦは、ある程度の予緊張によって係止ボルトハウジング２のこれらの部分に当接する。端部側で丸み付けされた案内リブＦの形成、及び突出部９を構成する壁部分に対するこれらの案内リブ対の角度のついた配設は、案内リブＦが、それぞれ線に沿ってのみ、このような突出部９を形成する壁部分に接触することを保証する。この措置によって、摩擦が最小化されるばかりでなく、それぞれ１つの案内リブ対の両方の案内リブＦ内へと突出部９を収容することによって、同時に係止ボルトハウジング２の案内通路３内での係止ボルト１の捩れ防止が実現される。
【００１３】
係止ボルト１の後の案内部分８は、外側に丸み付けされた表面を有する、軸５の後の終了部に配設された循環するビード１０によって構成されている。更に、圧縮バネ４を収容するための中空体として形成された軸５は、その後の部分の領域内をスリット１１によるスリットを入れられて形成されている。ビード１０の外径は、より効果的に、この部分において係止ボルトハウジング２の案内通路３の内法幅に対して若干の過大寸法をもって設けられている。スリット１１を設けることによって、後ろの部分は、曲げに対して柔軟であり、材料によって、ある程度の弾性的な特性を備えている。従って、ビード１０の外側は、その丸み付けされた外側に基づいて、線に沿って案内通路３の内側に、ある程度の予緊張をもって当接する。従って、係止ボルト１は、係止ボルトハウジング２の案内通路３内に遊びなく案内されている。
【００１４】
図４〜６に示された選択的な係止ボルト装置は、同様に係止ボルトハウジング２内に案内された係止ボルト１を有する。案内手段７は、この場合、係止ボルト１に対して平行に延在する押圧アーム７によって構成される。押圧アーム７は、それぞれ旋回部を介して係止ボルト１と可動に結合されている。
押圧アーム７の先端近くの端部には、転向斜面７’として形成された転向要素が設けられており、この転向要素に、係止バネ４の１つの端部領域が支持される。転向斜面７’によって、係止バネ４によって付与される軸方向に指向する押圧力の一部分が、半径方向に転向される。即ち、押圧アーム７は、これにより半径方向に拡開され、弾性的な予緊張の下に垂直に係止ボルトハウジング２の幾らか広い部分の内壁部に当接する。
半径方向に作用する押圧力もしくはこの押圧力から結果として生じる摩擦力は、転向斜面７’の設定角度の選択によって調節することができる。
【００１５】
先端から遠い係止ボルト端部が、組立ての際に先ず導入斜面を備えている幾らか広い係止ボルトハウジング２の領域内に導入されることによって、係止ボルト１の組立ては十分に簡素化されている。更に、転向斜面７’にはキャッチフック７”が設けられており、このキャッチフックは、押圧アーム７の最大に可能な偏向を制限し、従って、押圧アームは、係止ボルト１の組立ての際に、ほぼ材料疲労に導いてしまう非常に大きな偏向によって損傷を受けない。
【００１６】
図４及び５には、１２０°だけずらされた３つの押圧アーム７を有する本発明による係止ボルト装置もしくは本発明による係止ボルト１が図示されている。係止ボルト１は、特に一体的な合成物質射出成形部分として製造される。係止ボルト１の表面における窓状の切欠き部を経て侵入する３つの押圧アーム７の２つが見える。更に、この図では、係止ボルト１の先端から遠い端部に配設された弾性的な部分並びにスリット１１の１つも認識可能である。係止ボルト１は、中空シリンダ形の係止ボルトハウジング２内へと収容されている。この場合、係止ボルト４の面取りされた一端は、特に本質的に一平面内に位置する転向斜面７’上に支持され、一方、係止バネ４の面取りされた他端は、係止ボルトハウジング２の端面上に支持される。
旋回部の後ろでは、係止ボルト１のジャケット面が幾らか薄い材料厚さを備える。押圧アーム７の旋回運動を容易にするために、旋回部の領域内に材料狭窄部を設け、従って、例えばフィルムヒンジの様式による柔軟な結合部が生じるように構成することもできる。しかしながら、原理的に、係止ボルト１を多部分から形成すること、また押圧アーム７を係止ボルト１と、例えば柔軟な軸結合によって結合することも可能である。
【００１７】
当然、−応用例に応じて−３つよりも多くの押圧アーム７が係止ボルト１に存在してもよい。図６には、９０°だけずらされた４つの押圧アーム７ｎを有する本発明による係止ボルトの別の実施形が示されている。係止バネ４と転向斜面７’の協働が図示されている。即ち、係止バネ４の面取りされた端部が、転向斜面７’に当接し、押圧アーム７を互いに離間するように拡開する。選択的に、係止バネ４が、直接転向斜面７’に作用するのではなく、高剛性の独立した中間リング（図示されてない）が係止バネ４の先端近くの端部と転向斜面７’との間に配設されており、従って、バネ圧力が一様に押圧アーム７に配分されることが保証されているように構成することもできる。更に、組立てを容易にするために、係止ボルトの先端から遠い端部に導入斜面を設けることが有利である。
【００１８】
本発明による係止ボルトは、この係止ボルトが合成物質射出成形部分として一体的に製造することができるので、その製造において実用的であるばかりではなく、同様に既に存在する係止ボルトハウジング内へと組み込むことができ、従って、この係止ボルトは、容易に公知の係止ボルトと置換することができる。
【図面の簡単な説明】
【００１９】
【図１】部分的に断面にした概略図に、係止ボルトハウジング内に案内された第１の実施形による係止ボルトを示す。
【図２】係止ボルトの先端に対する視線方向で見た図１の装置の図を示す。
【図３】図１及び２の係止ボルトを透視図に示す。
【図４】第２の実施形による係止ボルトの図を示す。
【図５】図４の係止ボルトを有する部分的に断面にした係止ボルト装置の図を示す。
【図６】図５におけるのと同様の、しかしながら４つの押圧アーム７ｎを有する係止ボルト装置を経る縦断面図を示す。
【符号の説明】
【００２０】
１      係止ボルト
２      係止ボルトハウジング
３      案内通路
４      係止バネ
５      軸
６      先端
７      案内手段
８      案内部分
９      突出部
１０    ビード
１１    スリット
Ｆ      案内リブ
【国際公開パンフレット】
2005505108.tif 000003
2005505108.tif 000004
2005505108.tif 000005
2005505108.tif 000006
2005505108.tif 000007
2005505108.tif 000008
2005505108.tif 000009
2005505108.tif 000010
2005505108.tif 000011
2005505108.tif 000012
2005505108.tif 000013
2005505108.tif 000014
2005505108.tif 000015
2005505108.tif 000016
2005505108.tif 000017
2005505108.tif 000018
2005505108.tif 000019
2005505108.tif 000020
【国際調査報告】
2005505108.tif 000021
2005505108.tif 000022
2005505108.tif 000023
2005505108.tif 000024